(57)【特許請求の範囲】
【請求項１】
（ａ）おしゃぶり部と、
（ｂ）つまみ部と、
（ｃ）前記おしゃぶり部の圧力を検出する感圧抵抗素子と、
（ｄ）前記つまみ部の操作により抵抗値を可変にする可変抵抗器と、
（ｅ）前記感圧抵抗素子からの出力信号を、前記可変抵抗器により変化させることにより、音を変化可能にした音生成部とを具備することを特徴とするおしゃぶり型音具。
【発明の詳細な説明】
【０００１】
【発明の属する技術分野】
本発明は、圧力センサにより検知したおしゃぶりを吸う際の気圧の変化を音の変化と対応付け、乳幼児でもできる初歩的な動作により音楽的表現を可能にするとともに、動作と音との関係を固定させないようにした、使用者の状況に応じた使用を可能にするおしゃぶり型音具に関するものである。
【０００２】
【従来の技術】
ガラガラやポッペンなど従来の音を出す音具は、初歩的な動作により音を発音させることができるが、複雑な音楽的表現を行うことは難しく、また、その際に発音される音と動作との関係は固定されている。ピアノやバイオリンといった通常の楽器は複雑な音楽的表現を可能にするものの、その演奏にはある程度の訓練が必要であり、初歩的な動作のみで使用することは難しい。さらに、これらの楽器においても動作と発音される音との関係は固定されたものとなっている。
【０００３】
【発明が解決しようとする課題】
本発明は、上記状況に鑑みて、おしゃぶり部分の圧力の変化を音に対応させて、自在な音を生成させることができるおしゃぶり型音具を提供することを目的とする。
【０００４】
【課題を解決するための手段】
本発明は、上記した目的を達成するために、
〔１〕おしゃぶり型音具であって、おしゃぶり部と、つまみ部と、前記おしゃぶり部の圧力を検出する感圧抵抗素子と、前記つまみ部の操作により抵抗値を可変にする可変抵抗器と、前記感圧抵抗素子からの出力信号を、前記可変抵抗器により変化させることにより、音を変化可能にした音生成部とを具備することを特徴とする。
【０００５】
本発明では、生後間もない乳児に胎生期から反射能力として備わっている哺乳するための吸啜運動を利用し、おしゃぶりを吸うことによる圧力の変化に応じた音を発音させることで、初歩的な動作による複雑な音楽的表現を可能にするとともに、動作と音との関係を数種類用意することで、乳幼児の成長段階に適応させるなどの、使用者の状況に応じた使用を可能にした。
【０００６】
【発明の実施の形態】
以下、本発明の実施の形態を図面を参照しながら詳細に説明する。
【０００７】
図１は本発明の第１実施例を示すおしゃぶり型音具のブロック図、図２はそのおしゃぶり型音具の模式図、図３は本発明の第１実施例を示すつまみ付き可変抵抗器の構造を示す図である。
【０００８】
図１において、このおしゃぶり型音具は、おしゃぶり部分Ａと、つまみ部分Ｂとおよび音生成部分Ｃからなる。
【０００９】
ここでは、おしゃぶり部分（圧力センサと対応）Ａとつまみ部（可変抵抗器）Ｂは、並列に音生成部分Ｃに接続する。つまり、それらの信号はＡ／ＤコンバータＣ１に接続されるため、おしゃぶり部分Ａを吸うことによる空気圧の変化を圧力センサにより検出し、それに基づいて、圧力−音の変換処理を行って、音を生成させることができる。
【００１０】
図２において、１はシリコンゴム製の哺乳用乳首、２はゴムパッキン、３は支持具、４はビニールチューブ、５は圧力センサ、６は音生成器、７はプラスチック製つまみ、８は可変抵抗器である。
【００１１】
この実施例では、おしゃぶり部分Ａは、ゴムパッキン２により支持具３に固定されたシリコンゴム製の哺乳用乳首１を使用し、ビニールチューブ４により圧力センサ５に接続されている。哺乳用乳首１を吸うことによるビニールチューブ内空気圧の変化を圧力センサ５により検出する。安全性を考慮に入れて、ビニールチューブ４を長くすることで電気系統を乳首から離すようにしている。
【００１２】
つまみ部分Ｂは、図２及び図３に示すように、プラスチック製のつまみ７と可変抵抗器８を使用し、回転角度を検出するようにしている。
【００１３】
音生成部分Ｃは、圧力センサ５及び可変抵抗器８からの出力である電圧の変化を、ｉｎｆｕｓｉｏｎｓｙｓｔｅｍｓ社製Ａ／Ｄコンバータ〔Ｉ−ＣＵＢＥ  Ｄｉｇｉｔｉｚｅｒ〕Ｃ１によりデジタル化し、ＭＩＤＩ〔Ｍｕｓｉｃａｌ  Ｉｎｓｔｒｕｍｅｎｔ  Ｄｉｇｉｔａｌ  Ｉｎｔｅｒｆａｃｅ（コンピュータ）〕情報に変換する。そのＭＩＤＩ情報をコンピュータ（Ａｐｐｌｅ社製のコンピュータＰｏｗｅｒＭａｃ）Ｃ２上でプログラミング環境Ｍａｘ（Ｃｙｃｌｉｎｇ７４社）により処理し音生成器Ｃ３で音を生成する。
【００１４】
動作と生成される音との関係は、使用者の成長の段階に応じ２種類用意されている。
【００１５】
一つ目（アプリケーション１）は、生後間もない乳児でも好むと言われている代表的な協和音Ｃ，Ｅ，Ｇのみの音階からなる基本パートと、１オクターブ隔てたもう１つのパートの両方の音程を吸啜圧の変化に対応させ、強く吸うと、より高い音が鳴るようにした。
【００１６】
これは、吸う回数ごとに、片方のパートが半音ずつ５度まで音がずれていくため、吸啜を繰り返すごとに、協和音、不協和音が繰り返される。反射的な吸啜運動でも音の変化が楽しめるため、成長の初期段階からの使用が可能である。
【００１７】
二つ目（アプリケーション２）は、乳児がリズムやメロディーの知覚をある程度適切に行えるように、調性スキーマ（調性に関する無意識的知識）を獲得し始める１歳以上を使用対象とし、吸啜を始めると西洋音楽の調性構造を基に作られた単純なリズムを刻んだメロディーが流れだし、やめるとメロディーが停止されるというもの。吸啜圧と音楽のテンポとが対応付けられており、強く吸うとその分テンポが速くなるようになっている。また、双方ともつまみの回す角度を、５種類の音色パターンに対応付けている。
【００１８】
実際にあまりおしゃぶりを口にしたことのない９ヵ月の女児及びその両親に本発明を体験してもらったところ、女児は初めおしゃぶりを口にくわえてはみるが、ほとんど吸おうとはしなかった。しかし、１５分ほど経過すると徐々におしゃぶりに慣れてきて音の変化と動作との因果性に気付いたようで、驚いたように母親を見つめ、母親が促してやると楽しそうに足を音に同期させながら吸い続けていた。父親がつまみを回すことによる音色パターンの変化に被験児が気付くことができたかどうかは、今回は見て取ることができなかったが、明らかに楽しくインタラクションが行われていた。
【００１９】
次の記録は、本発明の音具を女児に与えてどのような反応を示すかをビデオ画像から採録したものである。
〔女児実験記録〕
（分：秒）
００′００″実験開始、おしゃぶりを与える。アプリケーション１を使用。与えた瞬間              吸って多少の音が鳴るが、音には気付く様子もなく、興味は開発者の顔や服            にあるらしくさわりまくる。
０２′００″スピーカーの近くまで行ってくわえさせてみる。一瞬鳴るが音には気付いて            いない様子で、まだ興味なし。
０３′００″他の玩具で遊ばせたりして、おしゃぶりから離して時間をおく。
０５′００″今まではおしゃぶりを持ってあげていたが、本人に持たせてみる。
チューブをつかんで振り回して遊ぶ。おしゃぶりに興味はいったようだが、            吸うことに興味なし。
０８′４０″父親の腕に抱かれて、グズリ始める。
１０′２０″母親に交代して、機嫌を直し、母親がおしゃぶりの吸い真似をして促してや            ると、おしゃぶりをくわえて吸い始める。
１１′１０″音量を上げ、音が鳴るたびに褒めてあげて、父親が音色を変える。                        初めて吸いながら笑った。うれしそうに吸い続けている。
１２′３０″父親の膝の上で吸っているが、ちょっとして泣き始める。くわえさせてやる            と真剣に吸う。
１３′００″再び母親の手に抱かれて、膝の上で足をブラブラさせながら夢中で吸う。父            親が音色を変化させ、歓声を上げる。
１４′００″アプリケーション２に切り替えてみる。うまく音が鳴らせなくなってチュー            ブを引っ張って遊び始め、吸うのをやめてしまう。
１５′００″父親が腕に抱き、少しおしゃぶりを吸わせるのをやめる。
１６′３０″父親の膝の上で再び挑戦。チューブを持って振り回して遊ぶが、泣きはじめ            てしまう。
１８′００″母親があやす。
１９′００″今度は母親の膝の上で挑戦。まだアプリケーション２なので、うまく鳴らせ            ないが、落ち着いてくわえている。
２０′１０″アプリケーション１に切り替えると、急にうまく鳴らせるようになって、驚            いたようにスピーカーの方にパッと目をやり、足を同期させて動かしながら            うれしそうに吸い続ける。
２１′００″母親の方を見つめるので、母親が「そうだよ、吸ってるんだよ」と促してや            る。
２１′１５″声を出したり、足を上げたり、体を動かしながら音を出すことを楽しんでい            る様子。父親は音色を変化させる。
２２′３０″猛烈に吸い続ける。スピーカーの方を見て足をリズムにあわせてブラブラさ            せる。
２４′００″来客があったため、女児の集中力がとぎれ、実験終了。
【００２０】
既に、波多野他「知力の発達」（岩波新書１８）の中で述べられているように、子供の知的発達の促進には、物理的環境および社会的環境の応答性が重要である。本発明では、おしゃぶり部分を吸うという行為に応答して音が鳴るという物理的環境により、子供自らの働きかけに応じて聴覚的な変化が生じるという効力感を与え、知的発達を促す。これは上記実験の１１′１０″、２０′１０″、２２′３０″において確認できた。
【００２１】
また、子供が成長し、認知力を発達させていく上で非常に重要である人や物とのインタラクションを、本発明では操作をおしゃぶり部分とつまみ部分に分けることによって楽しみながら行えるようにした。例えば、子供が発音させた音を親がつまみ部分を回すことによって音色のパターンを変化させる。そこで親子のインタラクションが生まれ、親子が共に音を作り出すおもしろさを体験することができる。これは上記実験の１３′００″、２１′１５″において確認できた。
【００２２】
乳児期から本発明のおしゃぶり型音具で遊ぶことによって、成長過程での様々な可能性が考えられる。例えば、最初は音を鳴らす喜びから、成長するにつれて自分で音色を変化させ、コントロールできる喜びが生まれる。そこで音楽表現の感覚が養われるだろう。
【００２３】
また、使用する音に自然の音をとり入れたり、インドネシアのペロッグ音階や沖縄音階など様々な音列を基にすることで、乳児に知覚の幅を広げ、ピッチ感覚、調性感覚など、知覚能力の発達を促す可能性が考えられる。
【００２４】
また、乳幼児だけではなく通常の楽器の使用が困難な人々の音楽表現の道具としても幅広い利用を考えることができる。
【００２５】
次に、本発明の第２実施例について説明する。
【００２６】
図４は本発明の第２実施例を示すおしゃぶり型音具の斜視図、図５はその分解斜視図、図６はその断面図、図７はその回路構成図である。
【００２７】
この実施例では、従来のおしゃぶり型音具の形態を変えることなく、コンパクトに構成している。つまり、第１実施例のようにチューブを長く延ばして圧力センサを構成することなく、音生成のための部品を全て本体内に内蔵するように構成している。
【００２８】
図４〜図７において、１０は乳首部、１１は基盤部、１２は主ケース、１２Ａは主ケースの中心部に形成される穴、１３はその穴１２Ａに嵌合される円筒体、１４は感圧抵抗素子、１５はＩＣ基板、１６は液晶表示装置、１７は音生成器、１８は裏板、１９は裏板１８に形成され、液晶表示装置１６を視認可能な窓穴、２０は透明カバー、２１は取手、２２は電池ケース、２３は電池、２４は基盤部１１に形成される窓穴、２５は主ケース１２に形成される窓穴、２６はその窓穴２４と２５に臨む回転つまみ、２７はその回転つまみ２６に接続される可動片、２８は抵抗体、２９は電池ケース２２が装着される穴、３０は透明カバー２０に形成される通音開口部、３１は圧力を伝達する液体である。
【００２９】
また、図７において、３２はＩＣ基板１５に搭載されるＩＣ回路、３３はこのおしゃぶり型音具を駆動するスイッチ、Ｒ２は回転つまみ２６の操作による可変抵抗である。
【００３０】
このおしゃぶり型音具は、その内部に電気的装置を全て内蔵させるようにしたので、特に、乳首部１０、基盤部１１、回転つまみ２６、透明カバー２０、電池ケース２２、取手２１は、全て電気的絶縁材料により構成する。
【００３１】
このように構成したので、生後間もない乳児に胎生期から反射能力として備わっている哺乳するための吸啜運動を利用し、乳首部１０を吸うことにより圧力の変化を感圧抵抗素子１４で検出して、その検出信号に基づいてＩＣ基板１５に搭載されたＩＣ回路３２に接続される音生成器１７により音に変換して、通音開口部３０から吸啜運動に応じた音を発音させる。
【００３２】
また、初歩的な動作による複雑な音楽的表現を可能にするとともに、動作と音との関係を数種類用意して、回転つまみ２６の操作により、可動片２７を移動させ、抵抗体２８の抵抗値を可変にすることにより音を変化させ、乳幼児の成長段階に適応させるなどの、使用者の状況に応じた使用を可能にすることができる。
【００３３】
感覚運動期にあたる０〜２，３歳では、実際に対象物に働きかけることによって未分化な認知構造をより組織化された構造へと変換し、認知力を発達させている。
【００３４】
そこで、本発明により、生後間もない乳児にも備わっている、メロディーやリズムの変化の知覚といった音楽を聞く能力の発達を促し、乳幼児の音楽的体験を可能にするとともに、他者とのインタラクションを通じて、音楽的概念や因果性などの諸構造を感覚的に身につけることを促すことができる。
【００３５】
なお、本発明は上記実施例に限定されるものではなく、本発明の趣旨に基づいて種々の変形が可能であり、これらを本発明の範囲から排除するものではない。
【００３６】
【発明の効果】
以上、詳細に説明したように、本発明によれば、以下のような効果を奏することができる。
【００３７】
（Ａ）おしゃぶりを吸うことに伴って音が発生することにより、乳幼児の音楽的体験を可能にするとともに、他者とのインタラクションを通じて、音楽的概念や因果性などの諸構造を感覚的に身につけることを促すことができる。
【００３８】
（Ｂ）音色を変化させることにより、おしゃぶり型音具の音の領域を広げることができる。
【００３９】
（Ｃ）おしゃぶりの状態に応じて音を変化させることにより、玩具乃至楽器としての利用ができるようになる。
【図面の簡単な説明】
【図１】  本発明の第１実施例を示すおしゃぶり型音具のブロック図である。
【図２】  本発明の第１実施例を示すおしゃぶり型音具の模式図である。
【図３】  本発明の実施例を示すつまみ付き可変抵抗器の構造を示す図である。
【図４】  本発明の第２実施例を示すおしゃぶり型音具の斜視図である。
【図５】  本発明の第２実施例を示すおしゃぶり型音具の分解斜視図である。
【図６】  本発明の第２実施例を示すおしゃぶり型音具の断面図である。
【図７】  本発明の第２実施例を示すおしゃぶり型音具の回路構成図である。
【符号の説明】
Ａ    おしゃぶり部分
Ｂ    つまみ部分
Ｃ    音生成部分
Ｃ１    Ａ／Ｄコンバータ
Ｃ２    コンピュータ
Ｃ３，６，１７    音生成器
１    シリコンゴム製の哺乳用乳首
２    ゴムパッキン
３    支持具
４    ビニールチューブ
５    圧力センサ
７    プラスチック製のつまみ
８    可変抵抗器
１０    乳首部
１１    基盤部
１２    主ケース
１２Ａ    主ケースの中心部に形成される穴
１３    円筒体
１４    感圧抵抗素子
１５    ＩＣ基板
１６    液晶表示装置
１８    裏板
１９    液晶表示装置を視認可能な窓穴
２０    透明カバー
２１    取手
２２    電池ケース
２３    電池
２４    基盤部に形成される窓穴
２５    主ケースに形成される窓穴
２６    回転つまみ
２７    回転つまみに接続される可動片
２８    抵抗体
２９    電池ケースが装着される穴
３０    透明カバーに形成される通音開口部
３１    圧力を伝達する液体
３２    ＩＣ基板に搭載されるＩＣ回路
３３    スイッチ
【図１】
0003816362.tif 000002
【図２】
0003816362.tif 000003
【図３】
0003816362.tif 000004
【図４】
0003816362.tif 000005
【図５】
0003816362.tif 000006
【図６】
0003816362.tif 000007
【図７】
0003816362.tif 000008